(57)【要約】【課題】例えば鉄筋コンクリート造等の建築物における耐火遮音間仕切壁等の間仕切壁構造に係り、遮音性能が高く、施工性が良く、しかも安価に施工することのできる間仕切壁構造を提供する。【解決手段】主に板材３と支柱１から構成される間仕切壁構造において、支柱１と板材３との間に硬質シート４と軟質シート５とを介在させたことを特徴とする。この場合、上記板材３が上記支柱１の両側に設けられるものにあっては、その一方の板材３と支柱１との間に硬質シート４を、他方の板材３と支柱１との間に軟質シート５をそれぞれ介在させると共に、隣り合う支柱１の同一の板材３側の面には硬質シート４と軟質シート５とが交互に配されるように構成するのが好ましい。【選択図】図１
2005188141.tif 000002
【特許請求の範囲】
【請求項１】
主に板材と支柱から構成される間仕切壁構造において、支柱と板材との間に硬質シートと軟質シートとを介在させたことを特徴とする間仕切壁構造。
【請求項２】
前記板材は前記支柱の両側に設けられ、その一方の板材と支柱との間に硬質シートを、他方の板材と支柱との間に軟質シートをそれぞれ介在させると共に、隣り合う支柱の同一の板材側の面には硬質シートと軟質シートとが交互に配されるように構成してなる請求項１記載の間仕切壁構造。
【請求項３】
前記軟質シートが多孔質材料で構成されている請求項１または２記載の間仕切壁構造。
【発明の詳細な説明】
【技術分野】
【０００１】
本発明は、例えば鉄筋コンクリート造等の建築物における耐火遮音間仕切壁等の間仕切壁構造に関する。
【背景技術】
【０００２】
図２は鉄筋コンクリート造等の建築物における遮音間仕切壁の一般的な構成例を示すもので、建築物の床面や天井面に図に省略したランナー等のガイドを設けて、その内部に角材等よりなる複数本の支柱１を立て、その隣り合う支柱１・１間に耐火材等よりなる吸音材２を設けると共に、支柱１の両面に各種ボード等の板材３を張付けた構成である。
【０００３】
上記のような間仕切壁に要求される性能として主なものは耐火性能と遮音性能である。このうち耐火性能は構成材料の組み合わせなどで容易に性能向上を図ることが可能であるが、遮音性能は性能向上を図ることが困難であり、そのための工夫が従来から色々と成されてきた。
【０００４】
例えば壁の遮音性能を向上させるには、壁自体の剛性を高める、壁重量を増大させる、壁内に空気層を設ける等の方法がある。しかしながら、これらの方法は壁の剛性や重量が増すことによって施工性が低下したり、施工コストが増大する。あるいは壁厚が厚くなって、その分居住空間が狭まってしまうという問題がある。
【０００５】
これらの問題を解決するために、基本的に板材、支柱、吸音材の複合材から構成される遮音間仕切壁が既知の技術として一般的に普及している。さらに遮音性能を高めるために更に空気層を設けると良いのだがそのためには壁厚が厚くなる、支柱と板材間に空気層を設けるため壁強度が弱くなる等の問題点が出てくる。また空気層を設けるためにスペーサーを介在させるなど施工も困難になってくる。
【０００６】
一方、上記のような空気層を設けるのは振動を遮断することが目的であるので空気層の代わりにゴム材のようなシートを挟み込むことで同様な効果を得ようとする発明が提案されている。例えば下記特許文献１においては、板材であるボード、支柱である下地材、吸音材からなる遮音構造の間仕切壁において、少なくとも一方のボードに重量壁を用い、他方のボードには振動分離ゴムを張付けた構成が開示されている。また下記特許文献２においては、ボード、下地材、吸音材からなる遮音構造の間仕切壁において、ボードの内側に遮音シートを積層接合した構成が開示されている。
【０００７】
しかしながら、上記いずれも振動分離ゴムまたは遮音シートを支柱や板材に張付けて固定する構成であり、壁強度を高めようとして強固に固定すれば、振動が伝わり易くなって遮音性が低下するおそれがあり、逆に遮音性を上げようとして緩く固定すると、壁強度が低下する不具合がある。また、重い重量壁を設けたり、ボードの内側に遮音シートを張付ける等の施工も困難であり、必然的にコストも掛かってしまう。
【０００８】
【特許文献１】特開２００１−１０７４９３号公報
【特許文献２】特開平１１−２４７３２１号公報
【発明の開示】
【発明が解決しようとする課題】
【０００９】
本発明は上記の問題点に鑑みて提案されたもので、遮音性能が高く、施工性が良く、しかも安価に施工することのできる間仕切壁構造を提供することを目的とする。
【課題を解決するための手段】
【００１０】
上記の目的を達成するために本発明による間仕切壁構造は、以下の構成としたものである。即ち、主に板材と支柱から構成される間仕切壁構造において、支柱と板材との間に硬質シートと軟質シートとを介在させたことを特徴とする。この場合、上記板材が上記支柱の両側に設けられるものにあっては、その一方の板材と支柱との間に硬質シートを、他方の板材と支柱との間に軟質シートをそれぞれ介在させると共に、隣り合う支柱の同一の板材側の面には硬質シートと軟質シートとが交互に配されるように構成するのが好ましい。上記の硬質シートとしては、例えば硬質のゴム等の弾性体を用いることができ、また軟質シートとしては、例えば軟質のスポンジ等の多孔質材料よりなるものを用いることができる。
【発明の効果】
【００１１】
本発明による間仕切壁構造は、上記のように支柱と板材との間に硬質シートと軟質シートとを介在させることによって、遮音性能を良好に確保した上で板材と支柱とを強固に固定することが可能となり、壁厚を薄くしても充分な遮音性能が確保され、また壁強度が強く、しかも施工性も良好で、容易・安価に施工できる等の効果が得られる。
【発明を実施するための最良の形態】
【００１２】
以下、図に示す実施形態に基づいて本発明を具体的に説明する。図１は本発明による間仕切壁構造の一実施形態を示す横断平面図であり、前記従来例と同様の機能を有する部材には同一の符号を付して説明する。
【００１３】
本実施形態は、所定の間隔をおいて配置した隣り合う支柱１・１間に吸音材２を取付け、上記支柱１の両側に硬質シート４および軟質シート５を介して各種ボード等の板材３を敷設したものである。特に、図の場合は各支柱１の両側に設けた板材３のうちの一方の板材と支柱１との間には硬質シート４を、他方の板材と支柱との間には軟質シート５をそれぞれ介在させると共に、隣り合う支柱の同一面側には硬質シート４と軟質シート５とが交互に配されるようにしたものである。
【００１４】
上記の硬質シート４と軟質シート５のそれぞれの役割は、外部からの音を伝達しないために板材３の振動を硬質シート４で吸収すること、また外部からの音を伝達しないように擬似的な空気層を軟質シート５によって作成することにある。そのため硬質シート４としては、例えば比較的硬質のゴム等の弾性体を用いるとよく、また軟質シート５としては、例えば軟質のスポンジ等の多孔質材料よりなるものを用いるのが好ましい。
【００１５】
上記硬質シート４および軟質シート５と支柱２および板材３との固着方法としては、例えば接着剤やビスなど密着固定できるものであれば何でも良い。特に高い剛性を得るには、これらの固定手段を複合させて用いるのがよく、特にビスによる固定、つまりビスを板材３および硬質シート４または軟質シート５を貫通させて支柱にねじ込む固定方法は剛性の向上に効果がある。ビスで力強く固定しても硬質シート４による振動吸収性能はあまり低下することがなく、また軟質シート５は多孔質層等の空気層や柔軟性が残るので遮音性能には問題がない。従って、上記のように支柱２と板材３との間に硬質シート４および軟質シート５を介在させれば遮音性能を充分に確保した上で板材３と支柱２とを強固に固定できるものである。
【００１６】
なお上記のような構成とした間仕切壁構造は、天井および床面に予め設けた不図示のランナー等に沿って立てることにより簡単に建て込むことが可能である。また、前記各板材３の外側にもう一枚板材を張って二重張りにすれば、更に遮音性能を向上させることができる。
【産業上の利用可能性】
【００１７】
以上説明したように、本発明による間仕切壁構造は、支柱１と板材３との間に硬質シート４と軟質シート５とを介在させることによって、遮音性能を良好に確保した上で板材と支柱とを強固に固定することが可能となるもので、遮音性能が高く、しかも強度の強い間仕切壁を容易・安価に施工することが可能となり、建築産業における間仕切壁の設計の自由度を増大させることができる。
【図面の簡単な説明】
【００１８】
【図１】本発明による間仕切壁構造の一実施形態を示す横断平面図。
【図２】従来の間仕切壁構造の一例を示す横断平面図。
【符号の説明】
【００１９】
１  支柱
２  吸音材
３  板材
４  硬質シート
５  軟質シート
【図１】
2005188141.tif 000003
【図２】
2005188141.tif 000004